(57)【特許請求の範囲】
【請求項１】
筐体と、該筐体の前面開口部を開閉自在にする前傾扉と、該筐体内に設けられ、消火用ホースが内巻き式に収納されるホース収納部とを備えた消火栓装置であって、
該前傾扉は、該前傾扉の背面側の、該前傾扉が閉じられているときに該ホース収納部の前面開口部に対向する位置に凹設された収納凹部を有するものであり、
該収納凹部は、該消火用ホースの先端に設けられるノズルを支持するノズル支持部を有するものであり、
更に該収納凹部は、該前傾扉が閉じられるときに、該ノズル支持部と該ホース収納部との間で生じる該消火用ホースのたるみ部と、該ノズル支持部に支持される該ノズルとを収納するものであることを特徴とする消火栓装置。
【請求項２】
該前傾扉は、その内部に扉内蔵機構部を有するものであり、該扉内蔵機構部は、該収納凹部を避けた位置に設けられるものであることを特徴とする請求項１に記載の消火栓装置。
【請求項３】
該前傾扉と該ホース収納部とは、該前傾扉が閉じられているときに、該前傾扉の内部に設けられた扉内蔵機構部を覆う裏板と該ホース収納部の前面とがほぼ接する如く設けられるものであることを特徴とする請求項１又は２に記載の消火栓装置。
【発明の詳細な説明】
【０００１】
【発明の属する技術分野】
この発明は、例えばトンネル等に設置され、火災発生時において消火用ホースを介して放出される消火剤によって火災の消火を行う消火栓装置に関する。さらに述べれば、筐体と、その筐体の前面開口部を開閉自在にする前面扉と、該筐体内に設けられ、消火用ホースが内巻き式に収納されるホース収納部とを備えた消火栓装置に関する。
【０００２】
【従来の技術】
例えばトンネル等に設置される消火栓装置は、先端部にノズルを有する消火用ホースを備えており、この消火用ホースを介してノズルより放出される消火剤により発生した火災を消火する如く用いられるものである。この様な消火用ホースを備えた消火栓装置において、消火用ホースは、常時においては消火栓装置の筐体内に巻き付けられて収納されており、火災発生時において筐体内より引き出されて用いられる。
【０００３】
上記のような消火栓装置において、その消火用ホースを筐体内に内巻き式に巻き付けて収納しておく所謂内巻き式の消火栓装置がある。この内巻き式消火栓装置の従来例を図４及び図５に示す。同図に示すように、従来の内巻き式の消火栓装置１５０は、消火用ホース１５１を収納するためのホース収納部１５２を筐体１５３内に備えており、消火用ホース１５１は、ホース収納部１５２内にその外側から中心に向けて順次内巻きに巻き付けられて収納されている。ホース収納部１５２及び筐体１５３は、消火用ホース１５１を筐体１５３の前面側より引き出すことができるように、それぞれの前面に開口（引き出し口１５２ａ、開口部１５３ａ）を有しており、筐体１５３の開口部１５３ａを開閉自在にする前面扉１５５が筐体１５３に設けられている。なお、図４は前面扉１５５を開けた状態を示し、図５は前面扉１５５を閉じた状態を示している。
【０００４】
この消火栓装置１５０においては、消火用ホース１５１の先端ノズル１５４は、消火活動に不慣れな操作者であっても前面扉１５５を開けたら即座に先端ノズル１５４を手に取ることができるようにしておくのが好ましいことから、図示のように、前面扉１５５を開けた際に操作者の目前に先端ノズル１５４が位置するように、消火用ホース１５１の先端側をホース収納部１５２の引き出し口１５２ａより引き出しておき、先端ノズル１５４を前面扉１５５の背面１５５ａの適宜位置に図示しないノズル支持部により支持している。
【０００５】
しかしながら、上記のように消火用ホース１５１の先端側を引き出し口１５２ａより引き出しておき先端ノズル１５４を前面扉１５５の背面に支持しておくようにすると、前面扉１５５を閉じるときに、ホース収納部１５２とノズル支持部との間で消火用ホース１５１がたるむことによってたるみ部１５１ａが生じ、このたるみ部１５１ａと先端ノズル１５４が前面扉１５５の背面１５５ａとホース収納部１５２の前面１５２ｂとの間に位置して挟まれる状態になってしまい、前面扉１５５を完全に閉じることができなくなってしまう。そこで、従来例においては、図５に示すように、前面扉１５５の背面１５５ａとホース収納部１５２の前面１５２ｂとの間に筐体１５３の奥行き方向に寸法ｄを有する隙間１５６を設けている。これにより、前面扉１５５を閉じるときに、消火用ホース１５１のたるみ部１５１ａと先端ノズル１５４を隙間１５６内に収めつつ前面扉１５５を閉じることで、前面扉１５５を完全に閉じることができるようになっている。
【０００６】
【発明が解決しようとする課題】
ところで、消火栓装置は、設置場所への搬入作業や据え付け作業を容易にするために、小型であることが望まれている。また、トンネル内に設置される消火栓装置の場合、設置台数が多数になること、トンネル内の車道に隣接する監査路に設置されたり、トンネル内壁に埋設されて設置されたりすること等のトンネル内に設置される消火栓装置に特有の事情があることから、特に小型であることが望まれている。
【０００７】
さらに、近年はトンネルの工法の進歩によって、壁面の薄型化も進んでおり、消火栓装置を埋設するときに、トンネルの強度に影響を与えないことが必要とされている。
【０００８】
また、トンネル内に設置される消火栓装置について述べれば、トンネル内に設置される消火栓装置の場合、上記のように、トンネル内の監査路に設置されたり、トンネル内壁に埋設されて設置されたりするものであるが、通常その前面を車両が走行する車道側に向けて設置されるものである。このことから、トンネル内に設置される消火栓装置は、装置が車道側に出過ぎないないようにするために、薄型であることが望まれている。
【０００９】
しかしながら、上記従来の消火栓装置１５０は、上記のように、前面扉１５５とホース収納部１５２との間に隙間ｄを確保する必要があり、筐体１５３の奥行き寸法Ｄ２はその隙間１５６の寸法ｄ分長いものとなっている。このため消火栓装置１５０は、その奥行きが寸法ｄ分厚型のものとなっており、全体として大型なものとなっている。
【００１０】
この発明は、上記事情に鑑み、消火栓装置の奥行き寸法を短くし、消火栓装置を薄型化して、消火栓装置を小型化することを目的とする。
【００１１】
【課題を解決するための手段】
上記目的を達成するこの発明について述べれば、それは、筐体と、該筐体の前面開口部を開閉自在にする前傾扉と、該筐体内に設けられ、消火用ホースが内巻き式に収納されるホース収納部とを備えた消火栓装置であって、該前傾扉は、該前傾扉の背面側の、該前傾扉が閉じられているときに該ホース収納部の前面開口部に対向する位置に凹設された収納凹部を有するものであり、該収納凹部は、該消火用ホースの先端に設けられるノズルを支持するノズル支持部を有するものであり、更に該収納凹部は、該前傾扉が閉じられるときに、該ノズル支持部と該ホース収納部との間で生じる該消火用ホースのたるみ部と、該ノズル支持部に支持される該ノズルとを収納するものである、消火栓装置である。
【００１２】
これによれば、前面扉を閉じる際に、前面扉の背面側とホース収納部の前面側との間にノズルと消火用ホースのたるみ部が挟まれる状態になったとしても、それらを前面扉の背面側に凹設した収納凹部に収納しつつ前面扉を閉じることができる。このため、前面扉の背面とホース収納部の前面との間の隙間をなくすることができ、また隙間を設けるとしてもその奥行き方向の寸法を短くすることができる。したがって、消火栓装置の筐体の奥行き寸法を短くすることができ、それにより消火栓装置を薄型化することができ、そして消火栓装置を小型化することができる。
【００１３】
【発明の実施の形態】
この発明の実施の形態を図１及び図２に基づき説明する。図１において、消火栓装置１は、消火用ホースを内巻きに収納してなる所謂内巻き式の消火栓装置である。この消火栓装置１は、例えばトンネル内の車道に隣接する監査路上に設置されたりトンネルの内壁に埋設されて設置されたりするものである。
【００１４】
消火栓装置１は、その筐体２内に、先端にノズル３を有する消火用ホース４、消火用ホース４を内巻きに収納するボックス形状のホース収納部５を備えている。ホース収納部５の前面には、ホース収納部５内より消火用ホース４を引き出すため、及びホース収納部５内に消火用ホース４を収納するための開口部５ａが設けられており、筐体２の前面には、前記ホース収納部５の開口部５ａを筐体２の外部に露出させる、前面開口部２ａが設けられている。
【００１５】
筐体２には、その前面開口部２ａを開閉自在にする前面扉として、筐体２の前面開口部２ａの下縁を支点として上下に開閉動作する前傾扉６が設けられている。なお、この前傾扉６は、開状態においてほぼ水平位置に停止する如く設けられるものであり、例えばダンパー等により筐体２に支持されるものである。
【００１６】
前傾扉６は、その内部に扉内蔵機構部６ａが設けられており、その扉内蔵機構部６ａを覆う裏板７が、前傾扉６の背面６ｂ側に設けられている。扉内蔵機構部６ａとしては、例えば、図示は省略するが前傾扉６の開閉のためのラッチ機構部や把持部などがあり、さらには前傾扉６の背面６ｂ側に消火栓弁の開閉レバー１０を設ける場合のその動力伝達のための機構部などがある。この扉内蔵機構部６ａは、後記する収納凹部８を避ける如く、前傾扉６の左右いずれか一方の側に偏在する如く設けられている。本実施の形態においては、扉内蔵機構部６ａは、収納凹部８を避けて、前傾扉６の正面視右側に偏在する如く設けられている。
【００１７】
前傾扉６の背面６ｂ側には、前傾扉６の背面６ｂ側より表面側に向けて凹設された収納凹部８が設けられている。この収納凹部８は、前傾扉６を閉じたときに、ホース収納部５の開口部５ａと対向する位置に設けられており、収納凹部８内にノズル３と消火用ホース４のたるみ部４ａを収納しておくことができるようになっている。これにより、図２に示すように、ノズル３とたるみ部４ａが前傾扉６とホース収納部５との間に位置する状態になったとしても、それらを収納凹部８内に収納しておくことで、前傾扉６を完全に閉じることができるようになっている。したがって、前傾扉６とホース収納部５との間に隙間（従来例の消火栓装置１５０における隙間１５６に相当する隙間）を設けなくてもよいようにすることができ（隙間を設けるとしてもその寸法を短くすることができる）ので、消火栓装置１の奥行き寸法Ｄ１を従来例の消火栓装置１５０の奥行き寸法Ｄ２より短くすることができる。
【００１８】
本実施の形態においては、収納凹部８の深さｈを、ノズル３と消火用ホース４の直径より大きくなるように形成している。このようにすることで、図２に示すように、前傾扉６を閉じた状態において、ノズル３と消火用ホース４のたるみ部４ａとを収納凹部８内に完全に収納することができ、前傾扉６の背面６ｂ側の裏板７とホース収納部５の前面５ｂとの間の隙間を完全になくすること、即ち裏板７とホース収納部５とを接触状態にすることができる（本実施の形態においては、ノズル３と消火用ホース４とを収納凹部８内に完全に収納しているが、裏板７とホース収納部５との間には若干の隙間を設けており、両者をほぼ接触状態にしている。）。なお、この収納凹部８の深さｈについては、それをノズル３と消火用ホース４の直径よりも小さくしてもかまわないが、但しこの場合裏板７とホース収納部５との間に隙間を設けることが必要となる。
【００１９】
なお、前傾扉６の裏板７から開閉レバー１０が突出しているが、前傾扉６の閉鎖時に、開閉レバー１０はホース収納部５の側方（図１では右側）に位置するので、邪魔にならない配置となっている。
【００２０】
さらに本実施の形態においては、筐体２の前面扉を前傾扉６とし、その前傾扉６に収納凹部８を設けている。これにより、前傾扉６が開いている状態で、収納凹部８内にノズル３と消火用ホース４のたるみ部４ａを収納しておけば、前傾扉６を閉じるときに、保形ホースである消火用ホース４の形状を保持しながら、ノズル３とたるみ部４ａをその自重により収納凹部８内に留まらせつつ前傾扉６を閉じることができる。さらに前傾扉６を開けるときには、ノズル３とたるみ部４ａをその自重により収納凹部８内に留まらせつつ前傾扉６を開けることができる。したがって、前面扉を前傾扉６とすることにより、前傾扉６を閉じるときには、ノズル３とたるみ部４ａとを収納凹部８内に収納させつつ前傾扉６を閉じるのを容易に行うことができ、さらに、前傾扉６を開けたときには、ノズル３を、収納凹部８内に位置させる、即ち前傾扉６を開ける操作者の目前にあって即座に手に取ることができる位置に位置させることができる。
【００２１】
また、収納凹部８内には、消火用ホース４のノズル３を前傾扉６の背面６ｂ上に支持させるとともに、収納凹部８内に位置させるための、ノズル支持部９が設けられている。このノズル支持部９にノズル３を支持して前傾扉６を閉じるようにすることで、収納部８内にノズル３とそれに連続するたるみ部４ａを確実に収納しつつ前傾扉６を閉じることができるようになっており、前傾扉６を開けたときには、ノズル３を、前傾扉６を開ける操作者の目前にあって即座に手に取ることができる位置に確実に位置させておくことができるようになっている。
【００２２】
なお、本実施の形態においては、収納凹部８内にノズル３とたるみ部４ａの両者を収納しているが、ノズル３については、図示は省略するが、ホース収納部５の開口部５ａよりホース収納部５内に収納するようにすることで、収納凹部８の外に位置させておくことも可能である。即ち、開口部５ａに対向する位置にノズル３を支持しておき、前傾扉６を閉じたときに、たるみ部４ａは収納凹部８内に、ノズル３はホース収納部５内に収納するようにする。このようにすることで、ノズル３を収納凹部８の外に位置させたとしても、前傾扉６の裏板７とホース収納部５の前面５ｂとの間に隙間を設ける必要はない。
【００２３】
また、本実施の形態において、収納凹部８は、図１に示すように、前傾扉６を開けた状態でそれを上方からみれば、略台形状に形成されているが、その形状（その大きさも含めて）は本実施の形態の態様に限定されるものではなく、消火用ホース４のたるみ部４ａを収納することができるものであればよい。例えば、収納凹部８を、矩形や円形のものとしてもよいし、溝状のものとしてもよい。
【００２４】
さらにまた、上記のように本実施の形態においては、筐体２の前面開口部２ａを開閉自在にする前面扉を前傾扉６としているが、該前面扉を筐体２の左右に開閉動作する扉としてもよい。
【００２５】
【実施例】
上記消火栓装置１をさらに具体化した消火栓装置１００についてそれを図３に基づいて説明する。なお、消火栓装置１と同一図面符号を付したものはその名称も機能も同一である。
【００２６】
図３において、消火栓装置１００は、消火用ホースを内巻きに収納してなる所謂内巻き式の消火栓装置である。この消火栓装置１００は、例えばトンネル内の車道に隣接する監査路上に設置されたりトンネルの内壁に埋設されて設置されたりするものである。
【００２７】
消火栓装置１００は、その筐体１０１内に、先端にノズル３０を有する消火用ホース１０４、消火用ホース１０４を内巻きに収納するホース収納部１０５、消火用水供給用配管１０６、三方切替弁１０７、圧力調整弁１０８、消火栓弁１０９、消防隊用給水栓１１０等を備えている。
【００２８】
ホース収納部１０５の前面には、ホース収納部１０５内より消火用ホース１０４を引き出すため、及びホース収納部１０５内に消火用ホース１０４を収納するための開口部１０５ａが設けられており、筐体１０１の前面には、前記ホース収納部１０５の開口部１０５ａを筐体１０１の外部に露出させる、前面開口部１０１ａが設けられている。
【００２９】
ホース収納部１０５はホースバケット１１２から形成されている。このホースバケット１１２は、筐体１０１の内壁上面から内壁下面に至る２本の棒状体１１３、１１３とその棒状体１１３、１１３から筐体１０１の内壁背面に至る略Ｌ字状に屈曲した２枚の帯板１１４、１１４とからなり、棒状体１１３、１１３との間に前記開口部１０５ａが形成されている。またこのホースバケット１１２の帯板１１４、１１４と筐体１０１の内壁上面と内壁下面との間にはその四隅に隅部開口部１１３ａ、１１３ａ、１１３ａ、１１３ａが設けられている。このように、ホースバケット１１２が筐体１０１の内壁を利用することにより、ボックス形状によりホース収納部を筐体１０１の内側に形成する場合に比較してホース収納部１０５を小型化することができ、それによって結果として消火栓装置１００を小型化することができるし、さらに、ホースバケット１１２の開口部１０５ａから消火用ホース１０４をホースバケット１１２内即ちホース収納部１０５内に収納するときに、隅部開口部１１３ａ、１１３ａ、１１３ａ、１１３ａから消火用ホース１０４がホース収納部１０５内にどのように巻き付けられているかを目視により確認することができ、隅部開口部１１３ａ、１１３ａ、１１３ａ、１１３ａからホース収納部１０５内に手を入れて消火用ホース１０４を押し込んだり整えたりすることができるので、ホース収納部内に消火用ホース１０４を整然と巻き付けて収納するを容易に行うことができる。
【００３０】
筐体１０１には、その前面開口部１０１ａを開閉自在にする前面扉として、筐体１０１の前面開口部１０１ａの下縁を支点として上縁が前方に開放動作する前傾扉６が設けられている。なお、この前傾扉６は、開状態においてほぼ水平位置に停止する如く設けられるものであり、例えばダンパー等により筐体１０１に支持されるものである。
【００３１】
前傾扉６は、その内部に扉内蔵機構部６ａが設けられており、その扉内蔵機構部６ａを覆う裏板７が、前傾扉６の背面６ｂ側に設けられている。扉内蔵機構部６ａとしては、例えば、図示は省略するが、前傾扉６の開閉のためのラッチ機構部や把持部などや消火栓弁１０９の開閉操作レバー１０の動力伝達のための機構部などがある。この前傾扉６の背面６ｂ側には、前傾扉６を閉じたときにホース収納部１０５の開口部１０５ａと対向する位置に収納凹部８が設けられており、この収納凹部８内にノズル３０と消火用ホース１０４のたるみ部１０４ｂを収納しておくことができるようになっている。これにより、ノズル３０とたるみ部１０４ｂが前傾扉６とホース収納部１０５との間に位置する状態になったとしても、それらを収納凹部８内に収納しつつ前傾扉６を閉じることができることから、前傾扉６とホース収納部１０５との間に隙間を設ける必要をなくすることができるので、消火栓装置１００の奥行き寸法を短くすることができ、消火栓装置１００を小型化することができる。
【００３２】
ノズル３０は、その先端に放水口を有し、直筒状（直線的棒状）の第１の筒体３１と、基端３２ｂに消火用ホース１０４の先端接続部１０４ａが接続されるく字状の第２の筒体３２と、第１の筒体３１と第２の筒体３２とを周方向に回動自在に接続する回動接続部３３及び操作性のため第１の筒体３１からほぼ垂直に突出する把持部３８とからなる。本実施例においては第１の筒体３１が前傾扉６の上辺に沿う如く横向きにされてノズル支持部１０３に支持されて収納凹部８内に収納されている。このノズル３０における回動接続部３３により第２の筒体３２を回動させることで、その基端３２ｂを図示のようにホース収納部１０５の開口部１０５ａに向けることができる。このようにすることで、消火用ホース１０４をその先端接続部１０４ａからホース収納部１０５に至るまでの間、即ちたるみ部１０４ｂを大きく湾曲させる必要をなくすることができる。これにより、ノズル３０を前記のように横向きにノズル支持部１０３に支持しておく場合でも、前傾扉６上にたるみ部１０４ｂが大きく湾曲するスペースを確保しておく必要がないので、たるみ部１０４ｂが大きく湾曲するスペースを確保するためにノズル支持部３０の設置位置が制限されることをなくすることができる。したがって、ノズル支持部１０３の設置位置、即ちノズル３０の支持位置が制限されることにより筐体１０１内の他の構成の配置が制限されて消火栓装置１００が大型化してしまうことがない。
【００３３】
ホースバケット１１２、収納凹部８及びノズル３０は、上記のように、それぞれ単独でも消火栓装置１００を小型化するという作用効果を有するものであるが、三者を同時に備える本実施例の消火栓装置１００によれば、三者の相乗効果によって消火栓装置１００をさらに小型化することができる。
【００３４】
【発明の効果】
この発明は上記の如く構成したので、前傾扉を閉じる際に、前傾扉の背面側とホース収納部の前面側との間にノズルと消火用ホースのたるみ部が挟まれる状態になったとしても、それらを前傾扉の背面側に凹設した収納凹部に収納しつつ前傾扉を閉じることができる。このため、前傾扉の背面とホース収納部の前面との間の隙間をなくすることができ、また隙間を設けるとしてもその奥行き方向の寸法を短くすることができる。したがって、消火栓装置の筐体の奥行き寸法を短くすることができ、それにより消火栓装置を薄型化することができ、そして消火栓装置を小型化することができる。
【００３５】
また、前傾扉が開いている状態で、前傾扉とホース収納部との間の消火用ホースのたるみ部を前傾扉背面の収納凹部に収納すれば、消火用ホースのたるみ部は自重により収納凹部内に留まることとなり、その状態で前傾扉を閉じることにより、消火用ホースのたるみ部を収納凹部に収納しつつ前傾扉を閉じるのを容易に行うことができる。
【図面の簡単な説明】
【図１】この発明の消火栓装置の実施の形態を示す図で、消火栓装置の前面扉を開けた状態における斜視図である。
【図２】同上を示す図で、消火栓装置の前面扉を閉じた状態における側面図である。
【図３】この発明の消火栓装置の実施例を示す図で、消火栓装置の前面扉を開けた状態における斜視図である。
【図４】従来例の消火栓装置を示す図で、消火栓装置の前面扉を開けた状態における斜視図である。
【図５】同上を示す図で、消火栓装置の前面扉を閉じた状態における側面図である。
【符号の説明】
１      消火栓装置
２      筐体
２ａ    前面開口部（筐体のもの）
４      消火用ホース
５      ホース収納部
５ａ    前面開口部（ホース収納部のもの）
６      前傾扉
６ａ    扉内蔵機構部
７      裏板
８      収納凹部
９      ノズル支持部
【図１】
0003641779.tif 000002
【図２】
0003641779.tif 000003
【図３】
0003641779.tif 000004
【図４】
0003641779.tif 000005
【図５】
0003641779.tif 000006